(57)【特許請求の範囲】
【請求項１】
ケース本体１の前面に設けたテープ引出口４を開閉するドア５が、ケース本体１の前壁６の内面に沿って設けたガイド溝３１でスライド自在に案内支持されて、ガイド溝３１内に配置したドアばね２０で閉じ付勢してある単リール型の磁気テープカートリッジであって、
ドア５は、テープ引出口４を塞ぐ主面壁１１と、主面壁１１の側方に突設した側部壁１２とを一体に備えており、
ドアばね２０は、左右に隣接する２個のコイル部２１・２１と、両コイル部２１・２１を接続する橋絡部２２と、各コイル部２１・２１から連出した２個のばね腕２３・２４とを一体に備えており、
両ばね腕２３・２４の一方は側部壁１２に設けたばね掛部１５に、他方はケース本体１に設けたばね掛部１７にそれぞれ相対摺動自在に掛止されており、
ドア開放時に両コイル部２１・２１を受け入れる切欠部１４が側部壁１２に切り欠き形成されており、
側部壁１２の側端と切欠部１４との間に、コイル部２１を切欠部１４へ移行案内するガイド面３０が設けてある単リール型の磁気テープカートリッジ。
【請求項２】
ガイド溝３１が、ケース本体１の前壁６と、前壁６の内面に設けたガイド壁１６とで画成されており、
ガイド壁１６と側部壁１２とに設けたばね掛部１５・１７が、それぞれ上下に長い溝で形成されており、
両ばね掛部１５・１７と係合する掛止片２５・２６が、各ばね腕２３・２４の先端に形成してある請求項１記載の単リール型の磁気テープカートリッジ。
【発明の詳細な説明】
【０００１】
【発明の属する技術分野】
本発明は、コンピュータ用データレコーダの磁気記録媒体に代表される単リール型の磁気テープカートリッジに関し、テープ引出口を開閉するドア構造を改良したものである。
【０００２】
【従来の技術】
不使用時に、塵埃等の異物がケース内部へ侵入するのを防ぐために、テープ引出口の外面をドアで閉止保持できるようにした単リール型の磁気テープカートリッジがある（特開平８−６３９４０号公報）。そこでは、ケース前面に開口した左右横長のテープ引出口を、揺動開閉自在なドアで閉止している。ドアはその揺動軸に外嵌した捻じりコイル形のばねで閉じ勝手に移動付勢されており、ドアの揺動基端とケース本体との間に設けたロック機構で、閉じ状態に保持できる。
【０００３】
【発明が解決しようとする課題】
このように揺動開閉自在なドアでテープ引出口を開閉するドア構造では、開放状態におけるドアがケース本体の前面外方へ大きく突出する。そのため、テープドライブ側のテープローディング機構や、テープ搬送機構等のメカニズムの配置の設計自由度が低くなるのを避けられず、テープドライブの構造の簡素化や高速化を図るうえで限界がある。
【０００４】
本発明者等は、テープドライブの構造の簡素化と機能向上の一助とするために、ドア構造を引き戸状に変更して、ドアをケース本体の外郭線内でスライド開閉することを検討した。引き戸型のドアは、左程の問題もなく実現できる。しかし、単リール型の磁気テープカートリッジの場合には、テープ端に固定したテープ引出具をケース内に待機保持しておき、これをローディング機構でケース外へ引き出すので、テープ引出口を大きく開口しなければならず、その分だけドアの開閉ストロークが大きくなる点に問題がある。
【０００５】
具体的には、ドアの開閉ストロークが大きくなると、ドアを閉じ勝手に付勢するばねの配置や、開放時と閉止時のばねの張力変化幅を適正化するのが難しくなる。ドアの開閉ストロークが小さい場合には、コイル部の両端にばね腕を連出した通常形態の捻じりコイルばねでドアを支障なく閉じ付勢でき、ばねの張力も線径や巻数等を適宜選択することで、設計者の意図通りに設定できる。しかし、開閉ストロークが大きくなるのに従い、捻じりコイルばねの一対のばね腕の開きストロークが不足する傾向を生じる。とくに、捻じりコイルばねをケース本体の内面に起立姿勢で配置する場合には、ばね腕の上下寸法をケース本体の内面上下寸法より小さくせざるを得ないので、ドアの開閉ストロークがケース本体の上下寸法を越えて大きくなると、一対のばね腕の開閉ストロークが不足する。
【０００６】
また、ドアの開閉ストロークが大きくなると、ばね腕の変位量も大きくなり、その分だけばねの張力変化幅が大きくなる。そのため、ばね腕の開閉ストロークに関して、通常形態の捻じりコイルばねを用いることに問題がなかったとしても、ドア開放時とドア閉止時とで極端な張力差を生じ、長期使用時にばねが劣化しやすい。張力の変化幅は、コイル部の巻数を増加することで減少できる。しかし、巻数の増加に伴って、捻じりコイルばねの前後厚みが大きくなる。従って、捻じりコイルばねを収容するためだけに、ケース本体の内部に十分なスペースを確保しなければならず、その分だけケース本体の外形形状が大きくなる。因みに、コイル径の小さな圧縮ばねや引張りばねを用いたとしても、その収容スペースを小さくすることは難しく、ケース本体の小形化には寄与できない。
【０００７】
本発明の目的は、左右横長のテープ引出口をスライド開閉するドアと、このドアを閉じ勝手に付勢する捻じりコイルばねとで構成した、引き戸状のドアを備えている単リール型の磁気テープカートリッジを得ることにある。
本発明の他の目的は、ドアをスライド案内するためのガイド溝を利用して、ドアばねを配置することにより、磁気テープカートリッジをより小形化することにある。
本発明の更に他の目的は、ドアを開放した状態において、ガイド溝内に配置したドアばねとドアとが接当干渉するのを確実に防止し、コンパクトにまとめられたドア構造の動作の信頼性を保障することにある。
【０００８】
【課題を解決するための手段】
本発明の磁気テープカートリッジは、図２または図７に示すごとく、ケース本体１の前面に設けたテープ引出口４を開閉するドア５が、ケース本体１の前壁６の内面に沿って設けたガイド溝３１でスライド自在に案内支持されて、ガイド溝３１内に配置したドアばね２０で閉じ付勢してある。ドア５は、テープ引出口４を塞ぐ主面壁１１と、主面壁１１の側方に突設した側部壁１２とを一体に備えている。ドアばね２０は、左右に隣接する２個のコイル部２１・２１と、両コイル部２１・２１を接続する橋絡部２２と、各コイル部２１・２１から連出した２個のばね腕２３・２４とを一体に備えている。両ばね腕２３・２４の一方は側部壁１２に設けたばね掛部１５に、他方はケース本体１に設けたばね掛部１７にそれぞれ相対摺動自在に掛止する。ドア開放時に両コイル部２１・２１を受け入れる切欠部１４を側部壁１２に切り欠き形成する。側部壁１２の側端と切欠部１４との間に、コイル部２１を切欠部１４へ移行案内するガイド面３０を設ける。
【０００９】
ガイド溝３１は、ケース本体１の前壁６と、前壁６の内面に設けたガイド壁１６とで画成する。ガイド壁１６と側部壁１２とに設けたばね掛部１５・１７は、それぞれ上下に長い溝で形成されており、両ばね掛部１５・１７と係合する掛止片２５・２６を各ばね腕２３・２４の先端に形成する。
【００１０】
【作用】
２個のコイル部２１・２１を備えた特有構造の捻じりコイルばねでドアばね２０を形成すると、通常形態の捻じりコイル形のばねに比べて、一対のばね腕２３・２４の拡縮変位ストロークを十分に確保できる。とくに図４に示すように、ドア開放時において一対のばね腕２３・２４を左右対称状に弾性変形させる場合には、両ばね腕２３・２４の拡縮ストロークを最大化できる。また、２個のコイル部２１・２１によって、必要かつ十分なコイル巻数を確保できるうえ、２個のコイル部２１・２１を左右に隣接配置するので、ドアばね２０の前後厚みを小さくでき、従って、薄板状のドア５をスライド案内するガイド溝３１の内部に、ドアばね２０を支障なく配置できる。
【００１１】
一対のばね腕２３・２４は、ケース本体１とドア５の側部壁１２とに設けたばね掛部１５・１７に対して、それぞれ相対摺動自在に掛止して、ガイド溝３１の内部においてドアばね２０が上下に変位できるようにしてある。これは、ばね腕２３・２４が拡縮する際の上下方向の寸法変化を吸収して、ばね腕２３・２４の拡縮ストロークをより大きく確保するためである。こうしたばね掛止構造では、例えば図１に示すようにドアばね２０がガイド溝３１の下側へずり落ちている場合に、ドア開放時の側部壁１２が、コイル部２１・２１と接当して、コイル部２１・２１を押し潰すように変形させてしまうおそれがある。そのために、側部壁１２に切欠部１４を切り欠き形成し、さらに切欠部１４の側端にガイド面３０を設け、ドア開放時にガイド面３０でコイル部２１・２１を切欠部１４へ移行案内できるようにして、ドアばね２０とドア５との干渉を防止している。
【００１２】
【実施例】
図１ないし図７は本発明に係る単リール型の磁気テープカートリッジの実施例を示す。図２において磁気テープカートリッジは、上下ケース１ａ・１ｂを蓋合わせ状に接合してなる角箱状のケース本体１を有し、ケース本体１の内部に配置した１個のリール２にテープ３を巻装している。ケース本体１の前壁６の一側端には、テープ引出口４が開口してある。テープ引出口４はスライド開閉自在なドア５で開閉できる。テープ引出口４に臨むケース側壁の前端には、図１に示すように、ドア５の受部１３を受け入れる切欠１８を設ける。
【００１３】
リール２に巻装したテープ３をケース外へ引き出し操作するために、テープ３の繰り出し端にテープ引出具７を連結する。詳しくは、図３に示すようにピン状のテープ引出具７の上下中途部にテープ３の端部を輪奈状に巻き付けた後、輪奈部分に緩衝体と断面Ｃ字形のクリップ８とを順に外嵌装着して、テープ３の端部にテープ引出具７を連結する。テープ引出口４の側壁寄り内方には、上下ケース１ａ・１ｂと一体に弾性変形可能な保持部９が設けてあり、これらの保持部９でテープ引出具７の上下両端の軸部を係合保持することにより、テープ引出具７を垂直姿勢に待機保持できる。テープドライブに設けたローディング部材は、クリップ８と上下の保持部９との間の軸部分を捕捉して、テープ引出具７をケース外へ抜き出し、あるいはテープ３の巻き戻しに並行してテープ引出具７を保持部９に圧嵌状に係合させてケース内へ戻す。こうしたローディング部材の出入りを許すために、テープ引出口４が左右横長に大きく開口している。
【００１４】
図７においてドア５は、テープ引出口４を開閉する主面壁１１と、主面壁１１の側方に突設した側部壁１２とを一体に形成した薄板状のプラスチック成形品からなり、主面壁１１の閉じ始端（図に向かって右端）側の側縁外面に、テープドライブ側の操作突起で相対的にスライド操作される受部１３を突設する。ドア５の開放始端（図に向かって左端）側に位置する側部壁１２の上縁は主面壁１１の上縁に対して段落ち状に凹ませて切欠部１４とし、その側端に連続して下り傾斜状のガイド面３０を設ける。切欠部１４の裏面側の壁面は主面壁１１の裏面から僅かに段落ちするように設けてあって、段落面のほぼ中央に上下に長い溝で形成したばね掛部１５を貫通状に設ける。段落面を設けるのは、後述するドアばね２０の一方のばね腕２４を受け入れるためである。ドア開放時に、ドアばね２０のコイル部２１とドア５とが接当干渉するのを避けるために、切欠部１４を設けている。
【００１５】
図５および図６に示すようにドア５は、ケース本体１の前壁６と、前壁６の内面に対向配置したガイド壁１６とで画成したガイド溝３１に沿って左右スライド自在に案内支持されて、テープ引出口４を開閉する。前壁６およびガイド壁１６は、それぞれ上下ケース１ａ・１ｂと一体に形成してあって、上下ケース１ａ・１ｂの接合面において上下に連続して側部壁１２と主面壁１１とをスライド案内する。しかし、テープ引出口４に臨む部分においては、ガイド溝３１は主面壁１１の上下端のみをガイドする。ガイド溝３１の前後間隔は、ドア５の主面壁１１の厚みよりも僅かに大きく寸法設定する。ドアばね２０の一方のばね腕２３を掛止するために、下ケース１ｂ側のガイド壁１６に、上下に長い溝からなるばね掛部１７を設けてある。このばね掛部１７の上端開口は、上ケース１ａ側のガイド壁１６で塞がれる。
【００１６】
ドア５を閉じ勝手に移動付勢するために、ガイド溝３１の内部にドアばね２０を配置する。図７においてドアばね２０は、左右に隣接する２個のコイル部２１・２１と、両コイル部２１・２１の前端どうしを接続する橋絡部２２と、各コイル部２１・２１の後端から連出した左右２個のばね腕２３・２４とを一体に形成した、ばね線材製の一種の捻じりコイルばねからなり、一対のばね腕２３・２４が拡開する向きのばね力を生じるようにくせ付けしてある。一対のばね腕２３・２４の突端には、前後逆向きの掛止片２５・２６がそれぞれ折り曲げ形成してある。一方の掛止片２６はドア５のばね掛部１５に係合し、他方の掛止片２５はガイド壁１６のばね掛部１７に係合する。コイル部２１の前後厚み寸法は、前壁６とガイド壁１６の前後間隔より僅かに小さい。
【００１７】
不使用状態におけるドア５は、図５に示すようにドアばね２０のばね力を受けて閉じ側へ移動付勢され、テープ引出口４を閉止している。この状態のドアばね２０のコイル部２１は、ガイド溝３１の上壁で受け止められている。磁気テープカートリッジをテープドライブに装填すると、ドア５の右端に設けた受部１３がテープドライブ側の操作突起と接当するので、ドア５はドアばね２０の付勢力に抗して開放操作される。この間に、ドアばね２０はばね腕２３・２４どうしが接近するように弾性変形し、縦方向の寸法成分が増えた分だけ、各掛止片２５・２６がばね掛部１５・１７に沿って下方スライドして、寸法変化を吸収する。ドア５を完全に開放した状態においては、図４に示すように一対のコイル部２１・２１はガイド溝３１の最奥部へ移動する。この状態のコイル部２１・２１は切欠部１４とガイド溝３１の上壁との間に収容され、側部壁１２はコイル部２１・２１より下側の空間内へ入り込む。この後にテープ引出具７をローディング部材で捕捉してケース外へ引き出す。
【００１８】
ばね掛部１５・１７を上下に長い溝で形成しているので、ドア閉止状態において、図１に示すように掛止片２５・２６が各ばね掛止部１５・１７の溝下端に位置することがある。こうした場合にドア５を開放すると、コイル部２１・２１が側部壁１２に押し潰されるか、ドア５を完全に開き操作できない状況に陥るおそれがある。この種のトラブルを避けるために、側部壁１２の側端と切欠部１４との間にガイド面３０を設けている。ガイド面３０がコイル部２１の下側周面に接当すると、ドアばね２０の全体は上向きの分力を受けて徐々に上方スライドする。そのため、コイル部２１はガイド面３０に沿って相対移動しながら、切欠部１４へと乗り上がる。従って、ドアばね２０がガイド溝３１内の上下方向のどの位置にあっても、ドア５を完全に開放した状態においては、コイル部２１・２１を切欠部１４に収容できる。
【００１９】
磁気テープカートリッジの組み立て時には、一方のばね腕２４の掛止片２６を、側部壁１２の裏面側からばね掛部１５に係合した後、ドア５をガイド溝３１に差し込み装填し、他方のばね腕２３の掛止片２５を下ケース１ｂ側のばね掛部１７に差し込むだけで、ドア５およびドアばね２０を簡単に組むことができる。また、両ばね掛部１５・１７に掛止したドアばね２０は、ドア５を閉じ操作した状態において、安定しやすい拡開変形状態になるので、組立工程の終段で上ケース１ａを下ケース１ｂに組み付ける際に、ドアばね２０が下ケース１ｂから跳ね出ることもなく、組み立てを容易化できる。
【００２０】
上記の実施例以外に、切欠部１４を側部壁１２の下縁側に切り欠き形成し、ドアばね２０を上下反転状に配置することができる。ばね掛部１５・１７は、それぞれ溝で形成する以外に、ピン状の突起や円弧状のリブで形成することができる。この場合のドアばね２０は掛止片２５・２６を省略できる。必要があればドア５は金属板で形成できる。ガイド壁１６は下ケース１ｂあるいは上ケース１ａの一方から突設して形成することができる。
【００２１】
【発明の効果】
本発明では、引き戸型のドア５でテープ引出口４を開閉するようにしたので、テープ引出口４を開放した状態において、ドア５がケース本体１の外面に大きく突出するのを解消できる。これによりテープドライブ側の機器の設計の自由度を向上できる。ドア５を閉じ付勢するためのドアばね２０を、２個のコイル部２１・２１を備えた特有構造の捻じりコイルばねで形成するので、一対のばね腕２３・２４の拡縮ストロークを十分に確保しながら、コイル部２１の巻数を必要かつ十分に確保できる。従って、この種の磁気テープカートリッジに特有のテープ引出形態に対応して、ドア５の開閉ストロークが大きく設定してあるにもかかわらず、ドア５を確実に閉じ操作できるのはもちろんのこと、ドア５に作用するばね力の変化幅を小さくして、ドアばね２０の耐久性を向上し、磁気テープカートリッジの信頼性を高めることができる。
【００２２】
一対のコイル部２１・２１を左右に隣接して配置することにより、薄板状のドア５のガイド溝３１を利用して、その内部にドアばね２０を配置でき、これによりケース本体１をより小形化して、磁気テープカートリッジのコンパクト化を実現できる。ドア５を開放する間に、側部壁１２に設けたガイド面３０でコイル部２１・２１を切欠部１４側へ強制的に移行案内し、ドア５がドアばね２０と接当干渉するのを確実に防止するので、ドアばね２０がドア５用のガイド溝３１内に収容してあるにもかかわらず、ドア５の開閉を支障なく行える。
【図面の簡単な説明】
【図１】ドアの開放途中状態を示す一部破断正面図である。
【図２】磁気テープカートリッジの斜視図である。
【図３】テープ引出具の保持構造を示す横断平面図である。
【図４】ドアを開放した状態での一部破断正面図である。
【図５】ドアを閉じた状態での一部破断正面図である。
【図６】図５におけるＡ−Ａ線断面図である。
【図７】ドア構造の分解斜視図である。
【符号の説明】
１  ケース本体
４  テープ引出口
５  ドア
６  前壁
１１  主面壁
１２  側部壁
１５・１７  ばね掛部
２０  ドアばね
２１  コイル部
２２  橋絡部
２３・２４  ばね腕
３０  ガイド面
３１  ガイド溝
【図１】
0003651649.tif 000002
【図２】
0003651649.tif 000003
【図３】
0003651649.tif 000004
【図４】
0003651649.tif 000005
【図５】
0003651649.tif 000006
【図６】
0003651649.tif 000007
【図７】
0003651649.tif 000008